(57)【要約】本発明は、フレキシブルディスプレイパネルおよびフィルム状構造を提供する。前記フレキシブルディスプレイパネルは、フレキシブルディスプレイ構造と、前記フレキシブルディスプレイ構造の少なくとも一側に設けられたフィルム状構造とを含む。前記フィルム状構造は、第１可撓性層と、第２可撓性層と、前記第１可撓性層と前記第２可撓性層との間に封止された充填材と、前記充填材を加熱するための加熱部材とを含む。前記充填材の硬度は、前記充填材の温度の変化に伴って変化する。
2020505623.tif 000002
【特許請求の範囲】
【請求項１】
フレキシブルディスプレイ構造と、
前記フレキシブルディスプレイ構造の少なくとも一側に設けられたフィルム状構造とを含み、
前記フィルム状構造は、
第１可撓性層と、
第２可撓性層と、
前記第１可撓性層と前記第２可撓性層との間に封止された充填材と、
前記充填材を加熱するための加熱部材とを含み、
前記充填材の硬度は、前記充填材の温度の変化に伴って変化する
フレキシブルディスプレイパネル。
【請求項２】
前記フィルム状構造は、前記フレキシブルディスプレイ構造の第１面に設けられている請求項１に記載のフレキシブルディスプレイパネル。
【請求項３】
前記充填材は、第１閾値範囲の温度で固体であり、第２閾値範囲の温度で液体である熱特性材料を含む請求項１に記載のフレキシブルディスプレイパネル。
【請求項４】
前記熱特性材料は、ワックス及び樹脂のうちの少なくとも１つを含む請求項３に記載のフレキシブルディスプレイパネル。
【請求項５】
前記充填材は、少なくとも１つの孔状構造を有する可撓性多孔質層をさらに含み、
前記熱特性材料は、前記孔状構造に充填されている請求項３または４に記載のフレキシブルディスプレイパネル。
【請求項６】
前記加熱部材は、金属枠と、前記金属枠に接続された配線とを含む請求項１〜５のいずれか一項に記載のフレキシブルディスプレイパネル。
【請求項７】
前記金属枠と前記配線の一部は、前記第１可撓性層と前記第２可撓性層との間に設けられ、かつ、前記配線の別の部分は、前記第１可撓性層と前記第２可撓性層との間から延び出る請求項６に記載のフレキシブルディスプレイパネル。
【請求項８】
前記配線に接続された電源と、前記配線と前記電源の導通／遮断を制御するスイッチをさらに含む請求項６に記載のフレキシブルディスプレイパネル。
【請求項９】
前記充填材は、複数の孔状構造を含む可撓性多孔質層を含み、
前記熱特性材料は、前記孔状構造に充填され、
前記加熱部材は、格子状構造の金属枠と、前記金属枠に接続された配線とを含み、
前記複数の孔状構造は、それぞれ前記格子状構造の格子に設けられている請求項３または４に記載のフレキシブルディスプレイパネル。
【請求項１０】
前記可撓性多孔質層は、スポンジである請求項９に記載のフレキシブルディスプレイパネル。
【請求項１１】
前記フィルム状構造は、前記充填材を冷却するための冷却部材をさらに含む請求項１に記載のフレキシブルディスプレイパネル。
【請求項１２】
冷却部材は、間隔を空けて設けられている複数の圧電冷却ユニットを含み、
前記圧電冷却ユニットは、前記充填材を冷却するための冷面と、熱面とを有する請求項１に記載のフレキシブルディスプレイパネル。
【請求項１３】
フレキシブルディスプレイ構造と、
第１可撓性層と、第２可撓性層と、前記第１可撓性層と前記第２可撓性層との間に封止され硬度が温度の変化に伴って変化する充填材と、前記充填材を加熱するための加熱部材とを含み、前記フレキシブルディスプレイ構造の少なくとも一側に設けられたフィルム状構造と、
前記充填材を冷却するための冷却部材と
を含むフレキシブルディスプレイパネルの剛性／可撓性の切り替え制御方法であって、
前記充填材を固体にさせる第１閾値範囲から、前記充填材を液体にさせる第２閾値範囲に上昇するように前記加熱部材によって前記充填材の温度を制御することと、
前記第２閾値範囲から前記第１閾値範囲に下がるように前記冷却部材によって前記充填材の温度を制御することとを含むフレキシブルディスプレイパネルの剛性／可撓性の切り替え制御方法。
【請求項１４】
第１可撓性層と、
第２可撓性層と、
前記第１可撓性層と前記第２可撓性層との間に封止された充填材と、
前記充填材を加熱するための加熱部材とを含み、
前記充填材の硬度は、前記充填材の温度の変化に伴って変化するフィルム状構造。
【請求項１５】
前記充填材は、第１閾値範囲の温度で固体であり、第２閾値範囲の温度で液体である熱特性材料を含む請求項１４に記載のフィルム状構造。
【請求項１６】
前記熱特性材料は、ワックス及び樹脂のうちの少なくとも１つを含む請求項１５に記載のフィルム状構造。
【請求項１７】
前記充填材は、少なくとも１つの孔状構造を有する可撓性多孔質層をさらに含み、
前記熱特性材料は、前記孔状構造に充填されている請求項１６に記載のフィルム状構造。
【請求項１８】
可撓性多孔質層は、スポンジである請求項１６に記載のフィルム状構造。
【請求項１９】
前記加熱部材は、金属枠と、前記金属枠に接続された配線とを含む請求項１４〜１８のいずれか一項に記載のフィルム状構造。
【請求項２０】
前記充填材を冷却するための冷却部材をさらに含む請求項１４〜１８のいずれか一項に記載のフィルム状構造。
【請求項２１】
前記冷却部材は、間隔を空けて設けられている複数の圧電冷却ユニットを含み、
前記圧電冷却ユニットは、前記充填材を冷却するための冷面と、熱面とを有する請求項２０に記載のフィルム状構造。
【発明の詳細な説明】
【技術分野】
【０００１】
本願は、２０１７年１月２５日に中国特許庁に提出された中国特許出願第２０１７２００９６９３９．１号の優先権を主張し、その全ての内容が援用により本願に取り込まれる。
本発明は、フレキシブルディスプレイ分野に係り、特にフレキシブルディスプレイパネルおよびフィルム状構造に関する。
【背景技術】
【０００２】
フレキシブルディスプレイ技術の発達に伴って、フレキシブルディスプレイ製品は、ディスプレイ市場で徐々に普及するようになっている。現在のフレキシブルディスプレイ画面は、ユーザの使用ニーズに応じて巻き取られることができる。しかし、画面を特定の巻き取り状態または平面拡張状態に維持するには、外部による支持が必要となる。そのため、フレキシブルディスプレイ画面の形状を維持するには、特定の支持体が必要である。
【０００３】
従来技術において、支持体の内部に充填材として電気粘性流体が用いられることが一般的であり、電気粘性流体の電流特性によって可撓性と剛性の切り替えが直接に実現され、さらにフレキシブルディスプレイ画面の形状が維持される。しかし、その構造が複雑であり、かつ再現性が電気粘性流体の安定性に制限され、支持体そのものの実際的な応用が理想的ではない。
【０００４】
これに鑑みて、フレキシブルディスプレイ画面の可撓性／剛性の切り替え制御が可能な実用的な技術手段の提供が急務になっている。
【発明の概要】
【発明が解決しようとする課題】
【０００５】
本発明の実施例は、フレキシブルディスプレイパネルの可撓性／剛性の切り替え制御が可能かつ実用性がより高い技術手段を提供する。
【課題を解決するための手段】
【０００６】
上記の目的を達成するために、一態様として、本発明の実施例は、フレキシブルディスプレイ構造と、前記フレキシブルディスプレイ構造の少なくとも一側に設けられたフィルム状構造とを含むフレキシブルディスプレイパネルを提供する。ここで、前記フィルム状構造は、第１可撓性層と、第２可撓性層と、前記第１可撓性層と前記第２可撓性層との間に封止された充填材と、前記充填材を加熱するための加熱部材とを含む。ここで、前記充填材の硬度は、前記充填材の温度の変化に伴って変化する。
【０００７】
ここで、前記フィルム状構造は、前記フレキシブルディスプレイ構造の第１面に設けられている。
【０００８】
ここで、前記充填材は、第１閾値範囲の温度で固体であり、第２閾値範囲の温度で液体である熱特性材料を含む。
【０００９】
ここで、前記熱特性材料は、ワックス及び樹脂のうちの少なくとも１つを含む。
【００１０】
ここで、前記充填材は、少なくとも１つの孔状構造を有する可撓性多孔質層をさらに含み、前記熱特性材料は、前記孔状構造に充填されている。
【００１１】
ここで、前記加熱部材は、金属枠と、前記金属枠に接続された配線とを含む。
【００１２】
ここで、前記金属枠と前記配線の一部は、前記第１可撓性層と前記第２可撓性層との間に設けられ、かつ、前記配線の別の部分は、前記第１可撓性層と前記第２可撓性層との間から延び出る。
【００１３】
ここで、前記フレキシブルディスプレイパネルは、前記配線に接続された電源と、前記配線と前記電源の導通／遮断を制御するスイッチをさらに含む。
【００１４】
ここで、前記充填材は、複数の孔状構造を含む可撓性多孔質層を含み、前記熱特性材料は、前記孔状構造に充填され、前記加熱部材は、格子状構造の金属枠と、前記金属枠に接続された配線とを含み、前記複数の孔状構造は、それぞれ前記格子状構造の格子に設けられている。
【００１５】
ここで、前記可撓性多孔質層は、スポンジである。
【００１６】
ここで、前記フィルム状構造は、前記充填材を冷却するための冷却部材をさらに含む。
【００１７】
ここで、前記冷却部材は、間隔を空けて設けられている複数の圧電冷却（Piezoelectric cooling）ユニットを含み、前記圧電冷却ユニットは、前記充填材を冷却するための冷面と、熱面とを有する。
【００１８】
別の態様として、本発明の別の実施例は、フレキシブルディスプレイパネルの剛性／可撓性の切り替え制御方法を提供する。前記フレキシブルディスプレイパネルは、フレキシブルディスプレイ構造と、前記フレキシブルディスプレイ構造の少なくとも一側に設けられたフィルム状構造とを含む。ここで、前記フィルム状構造は、第１可撓性層と、第２可撓性層と、前記第１可撓性層と前記第２可撓性層との間に封止された充填材と、前記充填材を加熱するための加熱部材とを含む。ここで、前記充填材の硬度は、前記充填材の温度の変化に伴って変化する。前記フレキシブルディスプレイパネルは、前記充填材を冷却するための冷却部材をさらに含む。前記方法は、前記充填材を固体にさせる第１閾値範囲から、前記充填材を液体にさせる第２閾値範囲に上昇するように前記加熱部材によって前記充填材の温度を制御することと、前記第２閾値範囲から前記第１閾値範囲に下がるように前記冷却部材によって前記充填材の温度を制御することとを含む。
【００１９】
別の態様として、本発明の別の実施例は、フィルム状構造を提供する。前記フィルム状構造は、第１可撓性層と、第２可撓性層と、前記第１可撓性層と前記第２可撓性層との間に封止された充填材と、前記充填材を加熱するための加熱部材とを含む。ここで、前記充填材の硬度は、前記充填材の温度の変化に伴って変化する。
【００２０】
ここで、前記充填材は、第１閾値範囲の温度で固体であり、第２閾値範囲の温度で液体である熱特性材料を含む。
【００２１】
ここで、前記熱特性材料は、ワックス及び樹脂のうちの少なくとも１つを含む。
【００２２】
ここで、前記充填材は、少なくとも１つの孔状構造を有する可撓性多孔質層をさらに含み、前記熱特性材料は、前記孔状構造に充填されている。
【００２３】
ここで、前記可撓性多孔質層は、スポンジである。
【００２４】
ここで、前記加熱部材は、金属枠と、前記金属枠に接続された配線とを含む。
【００２５】
ここで、前記フィルム状構造は、前記充填材を冷却するための冷却部材をさらに含む。
【００２６】
ここで、前記冷却部材は、間隔を空けて設けられている複数の圧電冷却ユニットを含み、前記圧電冷却ユニットは、前記充填材を冷却するための冷面と、熱面とを有する。
【図面の簡単な説明】
【００２７】
【図１】本発明の一実施例によるフィルム状構造の概略図である。
【図２】本発明によるフィルム状構造の加熱部材と充填材の配置の概略図である。
【図３】本発明の一実施例によるフレキシブルディスプレイパネルを適用した概略図である。
【図４】本発明の一実施例によるフィルム状構造の概略図である。
【図５】本発明の一実施例によるフィルム状構造の概略図である。
【発明を実施するための形態】
【００２８】
本発明の解決しようとする技術課題、技術手段および利点をより明確にするために、以下、図面および具体的な実施例と結び付けて詳細に記載する。
【００２９】
本発明の実施例は、フィルム状構造を提供する。図１に示すように、フィルム状構造は、第１可撓性層１と、第２可撓性層２と、第１可撓性層１と第２可撓性層２の間に位置する充填材３と、充填材３を加熱するための加熱部材４を含む。ここで、図１は、例示的に説明するためのものであり、加熱部材４を必ずしも第１可撓性層１と第２可撓性層２の間に設けるとは限られない。
【００３０】
ここで、第１可撓性層１の辺縁部と第２可撓性層２の辺縁部とで閉じることによって充填材３を封止する。充填材３の硬度は、環境温度の変化に伴って変化する。
【００３１】
本実施例のフィルム状構造は、硬度が温度の変化に伴って変化することによって可撓性と剛性の切り替えが実現され、フレキシブルディスプレイパネルの形状の固定に用いられることが分かる。電気粘性流体による支持体を用いた従来技術の技術手段と比較して、本実施例は、構造がより簡単であり、かつ実際の適用において電気粘性流体の電気状態制御より加熱方式のほうが実施しやすいため、実用性がより高い、市場におけるフレキシブルディスプレイ製品の普及に有利である。
【００３２】
ここで、「硬度」とは、材料の局部の、その表面への硬い物体の押し入りに対する抵抗力を指す。例えば、ワックスの場合、凝固中に硬度が徐々に上昇する。「剛性」とは、材料または構造の、外力を受けたときに抵抗して変形する能力を指す。
【００３３】
以下、具体的な実施形態と結び付けて、本実施例のフィルム状構造を詳細に説明する。
【００３４】
具体的に、本実施例の充填材は、少なくとも一部が熱特性材料からなる。当該熱特性材料は、環境温度（すなわち熱特性材料の温度）が第１閾値範囲に属するときに固体であり、環境温度が第２閾値範囲に属するときに液体である。ここで、前記第１閾値範囲と前記第２閾値範囲は、異なる温度範囲を指す。
【００３５】
例として、本実施例の熱特性材料は、ワックスである。ワックスは、常温で固体であり、加熱されると液体になり、環境にやさしい材料であるので、充填材として適切である。
【００３６】
ワックスが加熱されて液体になると、本実施例のフィルム状構造は、可撓性を呈し、フレキシブルディスプレイパネルとともに巻き取られることができる。ワックスが常温で固体であると、フィルム状構造が一定の構造強度を有することが保証され、フレキシブルディスプレイパネルは、剛性を呈し現在の形状が維持される。
【００３７】
もちろん、ワックスが固体状態で比較的に脆いことを考慮し、充填材として用いられるとフィルム状構造の可撓性が低下する可能性がある。上記の問題を回避するための対策として、本実施例の充填材は、可撓性多孔質層をさらに含んでもよい。可撓性多孔質層は、１つ以上の孔状構造（例えばスポンジ）を有する。ここで、ワックスは、当該可撓性多孔質層の孔状構造に充填されている。
【００３８】
可撓性多孔質層とワックスを組み合わせることによって、充填材が比較的に脆いという欠点を解決することができ、フィルム状構造全体の可撓性を向上させることによって、フィルム状構造でフレキシブルディスプレイパネルの形状をより安定に維持することができる。
【００３９】
さらに、図２に示すように、本実施例の加熱部材は、金属枠４１および前記金属枠に接続された配線４２を含む。
【００４０】
ここで、図１と図４に示すように、金属枠４１と配線４２の一部は、第１可撓性層と第２可撓性層との間に設けられ、かつ、配線の別の部分は、第１可撓性層と第２可撓性層との間から延び出て、電源に接続されている。
【００４１】
ここで、上記金属枠４１は、１つの抵抗とすることができる。配線４２が通電されると、金属枠４１は、温度が上昇して熱特性材料を加熱する。
【００４２】
実際の適用において、本実施例の金属枠４１は、格子状構造であり、熱特性材料が充填された可撓性多孔質層４３は、格子に設けられ、金属枠４１から均一に加熱される。
【００４３】
以上、本実施例のフィルム状構造を例示的に説明したが、上記の実現方式によって本発明の保護範囲を限定することはない。
【００４４】
例えば、本実施例の第１可撓性層と第２可撓性層は、独立した２つの層に限られず、一体化されたものと見なしてもよい。または、フィルム状構造は、より多くの可撓性層を有する。
【００４５】
さらに例えば、本実施例の加熱部材は、金属枠と配線によるものに限られない。抵抗として利用できる部材であれば、電流加熱に適用することができる。したがって、加熱部材は、金属配線のみを含んでもよく、すなわち金属配線の一部が電熱線として利用される。さらに、他の加熱方式の採用も可能である。
【００４６】
さらに例えば、本実施例の熱特性材料は、ワックスに限られず、樹脂または特性が類似する高分子材料であってもよく、例えばワックスと樹脂の組み合わせである混合材料であってもよい。
【００４７】
また、図５に示すように、前記フィルム状構造は、前記充填材を冷却するための冷却部材をさらに含む。前記冷却部材は、間隔を空けて設けられている複数の圧電冷却ユニット５０を含む。複数の圧電冷却ユニット５０を間隔を空けて設けたことによって、フィルム状構造の可撓性の要求を満たすことができる。前記圧電冷却ユニット５０は、前記充填材を冷却するための冷面５１と、熱面５３とを有する。図５に示す実施例において、冷面５１は、第１可撓性層１に貼り合わされ、前記熱面５３は、第１可撓性層１から遠く離れる。
【００４８】
本実施例の実現形態は、唯一ではないので、本明細書では枚挙して記載しない。
【００４９】
別の態様として、本発明の実施例は、フレキシブルディスプレイ構造３１と、フレキシブルディスプレイ構造３１の少なくとも一側に設けられた貼り合せフィルムを含むフレキシブルディスプレイパネルをさらに提供する。当該貼り合せフィルムは、本発明による前記フィルム状構造が採用される。
【００５０】
一実施例において、貼り合せフィルムは、フレキシブルディスプレイ構造３１の第１面に設けられている。しかも、フレキシブルディスプレイ構造３１の第１面は、フレキシブルディスプレイ構造３１の非出射面であってもよい。
【００５１】
本発明のフィルム状構造の設計に基づき、貼り合せフィルムに対し加熱、加熱停止または冷却することだけで、フレキシブルディスプレイパネルの可撓性／剛性の切り換えが実現される。簡単に実現されるため実用性が高く、市場におけるフレキシブルディスプレイパネルの普及に大きな意義を持つ。
【００５２】
さらに、本実施例のフレキシブルディスプレイパネルの貼り合せフィルムの加熱部材に図２に示す金属枠４１および金属枠に接続された配線４２を含むのであれば、本実施例のフレキシブルディスプレイパネルは、配線に接続された電源と、配線と電源の導通／遮断を制御するスイッチをさらに含んでもよい。
【００５３】
実際の適用において、図３に示すように、本実施例の貼り合せフィルム３２は、配線３３によってフレキシブルディスプレイパネルの電源に接続される。ユーザがフレキシブルディスプレイパネル３１を希望の形状に巻き取りたい場合、貼り合せフィルム３２の加熱部材に通電するようにフレキシブルディスプレイパネルの電源を制御することだけで、加熱方式で貼り合せフィルム３２内の充填材の硬度を低下させる。
【００５４】
充填材の硬度が一定程度まで低下すると、フレキシブルディスプレイパネルは、可撓性を呈する。このとき、ユーザは、フレキシブルディスプレイパネルを巻き取ることができる。フレキシブルディスプレイパネルが希望の形状に巻き取られると、ユーザは、電源をオフにして加熱部材による加熱を停止させる。充填材は、冷却中に硬度が徐々に上昇する。よって、貼り合せフィルム３２は、フレキシブルディスプレイパネル３１を支持することができる。このとき、フレキシブルディスプレイパネルは、剛性を呈し、現在の形状がそのまま維持される。
【００５５】
上述した実際の適用によれば、本発明は、フィルム状構造によってフレキシブルディスプレイパネルの可撓性／剛性の切り換えを制御することができる。従来技術の支持体と比較して、本発明の貼り合せフィルムは、体積が小さく、ユーザにとって優れた使用性となる。
【００５６】
また、本発明の一実施例は、前記フレキシブルディスプレイパネルの剛性／可撓性切り替え制御方法をさらに提供する。前記方法は、前記充填材を固体にさせる第１閾値範囲から、前記充填材を液体にさせる第２閾値範囲に上昇するように前記加熱部材によって前記充填材の温度を制御することと、前記第２閾値範囲から前記第１閾値範囲に下がるように前記冷却部材によって前記充填材の温度を制御することとを含む。
【００５７】
以上の記載は、本発明の選択可能な実施形態である。なお、当業者にとって、本発明に記載される原理から逸脱することなく、若干の改良や修飾を行うことができる。これらの改良や修飾も、本発明の保護範囲とみなされるべきである。 
【図１】
2020505623.tif 000003
【図２】
2020505623.tif 000004
【図３】
2020505623.tif 000005
【図４】
2020505623.tif 000006
【図５】
2020505623.tif 000007
【国際調査報告】
2020505623.tif 000008
2020505623.tif 000009
2020505623.tif 000010
2020505623.tif 000011